(57)【特許請求の範囲】
【請求項１】
遊技球が流下可能な遊技領域を前面に設けた遊技盤を、機体を構成する枠部材に形成された遊技盤保持部に着脱可能に取り付けて構成される遊技機における遊技盤の互換防止構造であって、
前記遊技盤の前面には、該遊技盤の種別毎に異なる位置に識別部が形成された遊技盤構成部品が前記遊技領域から外れた位置に配設され、
前記枠部材には、被識別部に形成された複数の挿通孔の形成間隔で離間する複数組の貫通孔が、組をなす貫通孔の間に他の組をなす貫通孔が位置するよう直列に形成されて、枠部材の種別に応じた組の貫通孔に挿通孔を整合させた前記被識別部を固定部材により固定することで、枠部材の種別毎に異なる位置に被識別部が設けられ、
前記枠部材の遊技盤保持部に取り付けられた被識別部と整合する識別部が形成された前記遊技盤構成部品を装着した遊技盤が、該被識別部および識別部の整合下に該遊技盤保持部への装着が許容されるよう構成され、
前記複数組の貫通孔は、前記枠部材を貫通するよう形成されて、前記遊技盤保持部に前記遊技盤を保持した状態で当該貫通孔および前記固定部材を枠部材の外側から視認可能に構成された
ことを特徴とする遊技機における遊技盤の互換防止構造。
【発明の詳細な説明】
【技術分野】
【０００１】
本発明は、遊技球が流下可能な遊技領域が前面に設けられると共に該遊技領域から外れた部位に設けられた遊技盤構成部品を備えた遊技盤を、機体を構成する枠部材に形成された遊技盤保持部に着脱可能に取り付けて構成される遊技機における遊技盤の互換防止構造に関するものである。
【背景技術】
【０００２】
パチンコ機等に代表される遊技機は、機体を構成する枠部材(中枠)と、該中枠に設けられた遊技盤保持部に取り付けられる遊技盤とを備えている。前記遊技盤は、合板(ベニヤ)製や合成樹脂等から略矩形に形成された板状部材であり、その前面に遊技領域が設けられると共に、その裏面に各種遊技部品が取り付けられる設置部材が着脱可能に配設されている。前記遊技領域内には、該遊技領域内を流下するパチンコ球が入賞可能な始動入賞装置、特別入賞装置、球案内部材および釘等が配設されている。前記設置部材には、遊技盤に形成された開口を介して該遊技盤の前側から視認可能な図柄表示装置や、演出装置および発光装置等の電子部品等が取り付けられている。
【０００３】
このようなパチンコ機にあっては、前記遊技盤および中枠(これらに組み付けられる部品・装置を含む。以下同じ)が一定の組み合わせで使用されることを前提として、パチンコ機全体が所定基準に適合するかにつき公的機関により検査され、この検査に合格したパチンコ機を遊技に供することが求められている。従って、遊技盤や中枠の個々が所定基準に適合するとしても、検査対象とは異なる組み合わせの遊技盤と中枠とを組み付けたパチンコ機は全体として正式な検査を受けていないことから、このようなパチンコ機が遊技に供されるのは好ましくない。そこで、遊技盤を特定の中枠にのみに設置し得るよう構成する技術が提案されており、該技術として例えば特許文献１に開示されるものが知られている。すなわち、特許文献１に記載のパチンコ機では、遊技盤側に嵌合突部または嵌合凹部からなる識別部を形成すると共に、中枠側には遊技盤に形成した識別部と一致して嵌合可能な嵌合凹部または嵌合突部からなる被識別部を形成して、遊技盤の識別部と中枠の被識別部とが一致する場合にのみに該遊技盤を該中枠に取り付け得るようにして、遊技盤の互換防止が図られるようになっている。
【先行技術文献】
【特許文献】
【０００４】
【特許文献１】特開平５−１８４７１７号公報
【発明の概要】
【発明が解決しようとする課題】
【０００５】
ところで、特許文献１に開示の遊技機では、遊技盤や中枠に識別部または被識別部を直接形成する形態となっており、複数種の遊技機がある場合には各遊技機毎に識別部および被識別部の形態(形状)が異なる専用の遊技盤および中枠を設計、製作することとなり、製造コストが嵩む問題がある。例えば、基本的構成をそのままに一部を若干変更する等の所謂マイナーチェンジの場合では、マイナーチェンジ前の遊技盤とマイナーチェンジ後の遊技盤との互換性をなくすためには、遊技盤の被識別部および中枠の識別部の形態を各々変更する必要があり、マイナーチェンジ毎に遊技盤および中枠を新たに設計、製作することとなって製造コストが嵩んでしまう。同様に、前記マイナーチェンジよりも大きな改良を行なって基本的構成を変更する所謂モデルチェンジの場合も、モデルチェンジ前の遊技盤とモデルチェンジ後の遊技盤との互換性をなくすためには、遊技盤の被識別部および中枠の識別部の形態を各々変更する必要があり、モデルチェンジ毎に遊技盤および中枠を新たに設計、製作することとなって製造コストが嵩む。
【０００６】
そこで本発明は、前述した課題を解決するために案出されたものであって、遊技盤には配設される遊技盤構成部品の形状を種別毎に変更することで、該遊技盤の本体を共用しながら互換防止を可能にした遊技機における遊技盤の互換防止構造を提供することを目的とする。
【０００７】
前記課題を解決するために、本願の請求項１に記載の発明では、
遊技球が流下可能な遊技領域(30)を前面に設けた遊技盤(D)を、機体を構成する枠部材(B)に形成された遊技盤保持部(14)に着脱可能に取り付けて構成される遊技機における遊技盤の互換防止構造であって、
前記遊技盤(D)の前面には、該遊技盤(D)の種別毎に異なる位置に識別部(M/M1,M2)が形成された遊技盤構成部品(60,70)が前記遊技領域(30)から外れた位置に配設され、
前記枠部材(B)には、前記被識別部(S/S1,S2)に形成された複数の挿通孔(87,87)の形成間隔で離間する複数組の貫通孔(91A,91B,91C,96A,96B,96C)が、組をなす貫通孔(91A,91B,91C,96A,96B,96C)の間に他の組をなす貫通孔(91A,91B,91C,96A,96B,96C)が位置するよう直列に形成されて、枠部材(B)の種別に応じた組の貫通孔(91A,91B,91C,96A,96B,96C)に挿通孔(87,87)を整合させた前記被識別部(S/S1,S2)を固定部材(88)により固定することで、枠部材(B)の種別毎に異なる位置に被識別部(S/S1,S2)が設けられ、
前記枠部材(B)の遊技盤保持部(14)に取り付けられた被識別部(S/S1,S2)と整合する識別部(M/M1,M2)が形成された前記遊技盤構成部品(60,70)を装着した遊技盤(D)が、該被識別部(S/S1,S2)および識別部(M/M1,M2)の整合下に該遊技盤保持部(14)への装着が許容されるよう構成され、
前記複数組の貫通孔(91A,91B,91C,96A,96B,96C)は、前記枠部材(B)を貫通するよう形成されて、前記遊技盤保持部(14)に前記遊技盤(D)を保持した状態で当該貫通孔(91A,91B,91C,96A,96B,96C)および前記固定部材(88)を枠部材(B)の外側から視認可能に構成されたことを要旨とする。
【０００８】
従って、請求項１に係る発明によれば、遊技盤に配設される遊技盤構成部品の形状を該遊技盤の種別に応じた形状に形成して、遊技盤保持部と整合する形状をなす遊技盤構成部品を装着した遊技盤だけが、該遊技盤保持部への装着が許容されるよう構成したから、遊技盤の互換防止が適切に図られて、当該遊技盤が別の遊技機の枠部材における遊技盤保持部に取り付けられる等の不都合が発生しない。また遊技盤は、遊技盤構成部品を除く部分の共用化を図ることができるから、遊技盤の互換防止に関連して遊技機の製造コストが嵩むことを防止し得る。
また、枠部材の遊技盤保持部に形成された被識別部と整合する識別部が形成された遊技盤構成部品を装着した遊技盤が、該被識別部および識別部の整合下に該遊技盤保持部への装着が許容されるよう構成したから、遊技盤の互換防止が適切に図られて、当該遊技盤が別の遊技機の枠部材における遊技盤保持部に取り付けられる等の不都合が発生しない。
【発明の効果】
【００１３】
本願発明に係る遊技機における遊技盤の互換防止構造によれば、遊技盤に配設される遊技盤構成部品の形状を種別毎に変更するだけで、遊技盤の本体を共用しながら遊技盤の互換防止を可能とする。
【図面の簡単な説明】
【００１４】
【図１】実施例のパチンコ機の正面図である。
【図２】実施例のパチンコ機の背面図である。
【図３】実施例の互換防止構造を備えた第１のパチンコ機を、前枠を外した状態で示す正面図である。
【図４】図３に示す第１のパチンコ機の外枠および中枠を示す正面図である。
【図５】図３に示す第１のパチンコ機用の遊技盤を示す斜視図である。
【図６】図５に示す遊技盤を、第１コーナー部材および第２コーナー部材を分離した状態で示す斜視図である。
【図７】(ａ)は、第１のパチンコ機に使用される第１コーナー部材を前上方から見た斜視図であり、(ｂ)は、(ａ)の第１コーナー部材を後上方から見た斜視図である。
【図８】(ａ)は、第１のパチンコ機に使用される第２コーナー部材を前上方から見た斜視図であり、(ｂ)は、(ａ)の第２コーナー部材を後上方から見た斜視図である。
【図９】中枠に設けられた遊技盤保持部の左縁部上部に設けられた第１取付部および左縁部下部に設けられた第２取付部を示す斜視図である。
【図１０】左枠部材に設けられた第１取付部に、リベットにより第１被識別部を取り付ける態様を示す斜視図である。
【図１１】(ａ)は、初期型の第１のパチンコ機において、中枠に遊技盤を取り付ける状態を示す説明図であり、(ｂ)は、第１回目のマイナーチェンジ後の第１のパチンコ機において、中枠に遊技盤を取り付ける状態を示す説明図であり、(ｃ)は、第２回目のマイナーチェンジ後の第１のパチンコ機において、中枠に遊技盤を取り付ける状態を示す説明図である。
【図１２】実施例の互換防止構造を備えた第２のパチンコ機を、前枠および下球皿を外した状態で示す正面図である。
【図１３】第２のパチンコ機の外枠および中枠を示す正面図である。
【図１４】図１３に示す第２のパチンコ機用の遊技盤を示す斜視図である。
【図１５】(ａ)は、初期型の第２のパチンコ機において、中枠に遊技盤を取り付ける状態を示す説明図であり、(ｂ)は、第１回目のマイナーチェンジ後の第２のパチンコ機において、中枠に遊技盤を取り付ける状態を示す説明図であり、(ｃ)は、第２回目のマイナーチェンジ後の第２のパチンコ機において、中枠に遊技盤を取り付ける状態を示す説明図である。
【図１６】(ａ)は、第１被識別部がリベットにより第１取付部に取り付けられた状態を示す断面図であり、(ｂ)は、第１取付部の貫通孔に挿通係止されたリベットにより種別を識別し得ることを示す説明図である。
【発明を実施するための形態】
【００１５】
次に、本発明に係る遊技機における遊技盤の互換防止構造につき、好適な実施例を挙げて、添付図面を参照しながら、以下詳細に説明する。実施例では、遊技機として、パチンコ球を遊技媒体として使用する一般的なパチンコ機を例にして説明する。なお、以下の説明において、「前」、「後」、「左」、「右」とは、外枠Ａに対して中枠Ｂを閉じた状態において、パチンコ機Ｐを正面から見た状態を基準として指称するものとする。
【実施例】
【００１６】
実施例に係るパチンコ機Ｐの概略構成について、図１〜図６を参照して説明する。パチンコ機Ｐは、図１〜図３に示すように、遊技店に設けられた「島」とも称される設置枠台(図示せず)に固定される固定枠としての外枠Ａと、該外枠Ａに対して着脱および開閉可能に枢支された本体枠としての中枠(枠部材)Ｂと、該中枠Ｂに着脱交換可能に取り付けられて所要の遊技領域３０が画成された遊技盤Ｄと、中枠Ｂの前面側に着脱および開閉可能に枢支され、該中枠Ｂに配設した遊技盤Ｄを透視保護する透明板２４が配設される前枠Ｃとを備えている。前記前枠Ｃには、パチンコ球を貯留可能な上球皿Ｅが前記透明板の配設部位の下方前側に組み付けられ、パチンコ球を貯留可能な下球皿Ｆが前記上球皿Ｅの下方に組み付けられると共に、前記下球皿Ｆの右部に操作ハンドルＧ１が組み付けられている。前記操作ハンドルＧ１を操作すると中枠Ｂに配設した打球発射装置Ｇ２(図３参照)が作動され、上球皿Ｅに貯留されたパチンコ球を遊技盤Ｄの遊技領域３０に向けて打ち出すよう構成されている。
【００１７】
（中枠）
前記中枠Ｂは、図３および図４に示すように、上縁をなす上枠部材１０と、下縁をなして、スピーカ２１や前記打球発射装置Ｇ２等が設置された下枠部材１１と、左側縁をなす左枠部材１２と、右側縁をなす右枠部材１３とから構成されている。中枠Ｂは、上下左右の枠部材１０,１１,１２,１３を組み付けた際に、全体が外枠Ａの開口に整合する矩形枠状に形成される。そして、上下左右の枠部材１０,１１,１２,１３を組み付けた際に前後に開口する開口部分に、遊技盤Ｄを中枠Ｂの前側から着脱可能に設置されており、該開口部分が遊技盤保持部１４として機能する。また、下枠部材１１の上面には、遊技盤保持部１４に設置される遊技盤Ｄを支持する台座部が形成されている。そして中枠Ｂは、外枠Ａの左上端部および左下に設けられた第１ヒンジ機構２５,２５を介して外枠Ａに枢支され、該中枠Ｂは外枠Ａに対して左側端部を中心として開閉し得るようになっている。なお中枠Ｂは、前記上下左右の枠部材１０,１１,１２,１３が一体成形されたものであってもよい。
【００１８】
図４に示すように、左枠部材１２の開口内側(遊技盤保持部１４側)には、上下に離間する位置に、遊技盤Ｄの左側端部を位置決めするための位置決め部１５,１５が設けられている。また、上下の枠部材１０,１１における右端部(右枠部材１３側)には、固定位置および固定解除位置に姿勢変位可能な固定具１６,１６が夫々設けられており、該固定具１６,１６により遊技盤Ｄの右側上下端部を中枠Ｂに固定し得るようになっている。従って遊技盤Ｄは、遊技盤保持部１４に対して前側から臨ませて、先ず該遊技盤Ｄの左端部を前記位置決め部１５,１５で位置決めし、次いで該遊技盤Ｄの右端部の上下を前記固定具１６,１６で保持することで、該遊技盤保持部１４に収容保持されるようになっている。一方、遊技盤保持部１４から遊技盤Ｄを取り出すに際しては、中枠Ｂの前側から前記固定具１６,１６を操作して遊技盤Ｄの右端部の保持を解除することで、該遊技盤Ｄの取り出しが許容される。
【００１９】
図２および図４に示すように、前記上枠部材１０の裏側には、設置枠台等に設けられた外部球供給設備(図示せず)から供給されるパチンコ球を貯留する球タンク１７が配設されている。また、中枠Ｂの裏側における左枠部材１２側に偏った位置には、前記球タンク１７に接続された球通路ユニット１９が上下に架設され、該球通路ユニット１９に配設された球払出し装置２０の駆動により球タンク１７に供給されたパチンコ球を上下の球皿Ｅ,Ｆへ給出するよう構成されている。前記球タンク１７は、遊技盤保持部１４に配設された遊技盤Ｄの裏側上部に重なるよう形成されており、遊技盤Ｄの上下寸法を最大限大きくし得るようになっている(図２参照)。
【００２０】
（前枠）
前記前枠Ｃは、図１に示すように、複数の合成樹脂製の構成部品を組み合わせて中枠Ｂの前側全体を覆い得る形状に形成されている。そして前枠Ｃは、遊技盤Ｄの遊技領域３０と同等の開口サイズの開口部２３が形成されると共に、前記開口部２３に臨むように透明板２４が組み付けられている。また前枠Ｃは、前記開口部２３の下側に前記上球皿Ｅが組み付けられ、該上球皿Ｅの下側に前記下球皿Ｆが組み付けられると共に、上部左右にスピーカ２２,２２が配設されている。前枠Ｃは、前記中枠Ｂの左側部に配置された第２ヒンジ機構２６,２６(図１、図３参照)を介して該中枠Ｂに対して開閉自在に枢支されると共に、中枠Ｂに閉成した際に遊技盤保持部１４に設置した遊技盤Ｄの遊技領域３０を開口部２３を介して前面側から視認し得るよう構成される。そして、前記中枠Ｂに対して前枠Ｃを閉じた状態では、該前枠Ｃの下部(上球皿Ｅおよび下球皿Ｆの配設部位に対応する位置)が中枠Ｂの下枠部材１１に対向すると共に、前記開口部２３の下縁が下枠部材１１より上方に位置するよう構成されている。なお、前記上球皿Ｅの上面には、パチンコ遊技中に遊技者が遊技内容に応じて操作する遊技用の操作ボタン２７が配設されている。
【００２１】
(遊技盤)
前記遊技盤Ｄは、図３、図５および図６に示すように、ベニヤ合板や合成樹脂を材質として、前記中枠Ｂに設けた遊技盤保持部１４の内縁形状に整合する外縁形成された略矩形で平板状の基材２９を備え、その前側に遊技領域３０が設けられると共に後側に設置部材４０が配設されている。遊技盤Ｄの前側には、左下部から右上部にかけて円弧状に延在する外レール３１と、この外レール３１の内側に中央下部から左上部にかけて並べて配置された内レール３２と、外レール３１の右上部から内レール３２の下部までの間に右方へ凹む湾曲形状に構成された盤面飾り部材３３が配設されており、両レール３１,３２および盤面飾り部材３３で囲まれた内側が略円形状の前記遊技領域３０として構成されている。これにより、前記打球発射装置Ｇ２から発射されたパチンコ球は、外レール３１と内レール３２との間を通って遊技領域３０の左上部に打ち出され、該遊技領域３０内を流下する。但し、前記内レール３２の延在長を大きく設定して、前記外レール３１および該内レール３２で遊技領域３０を形成するようにしてもよい。
【００２２】
(コーナー部材)
矩形状に形成された遊技盤Ｄは、図５および図６に示すように、外レール３１および内レール３２により前記遊技領域３０が略円形状に形成されていることで、遊技領域３０から外れた部位、すなわち遊技盤Ｄの左上隅部および左下隅部に、該遊技領域３０から外れた領域が形成されている。そして、遊技盤Ｄの左上隅部の領域(以降「第１コーナー部５０」という)には、該第１コーナー部５０に適合する外形形状に形成された遊技盤構成部品としての第１コーナー部材６０が配設されている。また、遊技盤Ｄの左下隅部の領域(以降「第２コーナー部５１」という)には、該第２コーナー部５１に適合する外形形状に形成された遊技盤構成部品としての第２コーナー部材７０が配設されている。これら第１コーナー部材６０および第２コーナー部材７０は、中枠Ｂに閉成された前枠Ｃで覆われて開口部２３からは殆ど視認されない(図１参照)。
【００２３】
(第１コーナー部材)
第１コーナー部材６０は、図６および図７に示すように、合成樹脂製の一体成形部材であって、前記第１コーナー部５０の形状に合う外形輪郭形状に形成されている。すなわち第１コーナー部材６０は、遊技盤Ｄの前面に沿う方向において外レール３１に対向する本体部６１と、前記本体部６１の上側に位置するプレート部６２とからなる。前記本体部６１は、前後寸法が前記外レール３１の前後幅と略同じで前面６１Ｂは平坦に形成されていると共に、外レール３１の外周面に対向するレール対向面６１Ｃは、該外レール３１の曲率と同じ曲率の凹状に湾曲形成されている。また、本体部６１の左側面６１Ａは、垂直に直線状に形成され、遊技盤Ｄの左端縁に沿うように臨んでいる。プレート部６２は、その上縁が遊技盤Ｄの上縁に略整合すると共に、左縁は遊技盤Ｄの左側縁より右側に位置している。そして、本体部６１の後側における左下部およびプレート部６２の後側における右上部には、該本体部６１およびプレート部６２の後面より後方へ突出した複数(実施例では２個)の係止ボス６３が形成されている。前記各係止ボス６３は、遊技盤Ｄの前記第１コーナー部５０に、各係止ボス６３,６３に対応して形成された係止孔５２,５２(図６)に対し前側から差し込んで係合させることで、該第１コーナー部材６０を第１コーナー部５０の前面に固定するためのものである。そして、本体部６１の左側面６１Ａには、該左側面６１Ａの内外方向へ弾性変形が可能な弾性片６７が形成されている。この弾性片６７は、図３に示すように、当該遊技盤Ｄを中枠Ｂの遊技盤保持部１４にセットした際に、左枠部材１１に弾力的に当接するようになり、中枠Ｂに対する該遊技盤Ｄのがたつきを防止するために機能する。
【００２４】
(第２コーナー部材)
第２コーナー部材７０は、図６および図８に示すように、合成樹脂製の一体成形部材であって、前記第２コーナー部５１の形状に合う外形輪郭形状に形成されている。すなわち第２コーナー部材７０は、遊技盤Ｄの前面に沿う方向において外レール３１に対向すると共に遊技盤Ｄの左端縁および下端縁に沿う本体部７１からなる。前記本体部７１は、前後寸法が前記外レール３１の前後幅と略同じで前面７１Ｂは平坦に形成されていると共に、外レール３１の外周面に対向するレール対向面７１Ｃは、該外レール３１の曲率と同じ曲率の凹状に湾曲形成されている。また、本体部７１の左側面７１Ａは、垂直に直線状に形成されて、遊技盤Ｄの左端縁に沿うように臨んでいる。そして、本体部７１の後側における左上部および右下部には、該本体部７１の後端より後方へ突出した複数(実施例では２個)の係止ボス７２が形成されている。前記各係止ボス７２は、遊技盤Ｄの前記第２コーナー部５１に、各係止ボス７２,７２に対応して形成された係止孔５３,５３(図６)に対し前側から差し込んで係合させることで、該第２コーナー部材７０を第２コーナー部５１の前面に固定させるためのものである。また、本体部７１の左側面７１Ａには、該左側面７１Ａの内外方向へ弾性変形が可能な弾性片７７が形成されている。この弾性片７７は、図３に示すように、当該遊技盤Ｄを中枠Ｂの遊技盤保持部１４にセットした際に、左枠部材１１に弾力的に当接するようになり、中枠Ｂに対する該遊技盤Ｄのがたつきを防止するために機能する。
【００２５】
前記遊技盤Ｄには、図５および図６に示すように、中央に大きな貫通口が形成されて、前後に開口する表示窓口３５Ａが形成された枠状装飾部材３５が該貫通口の開口縁に配設されている。そして、前記設置部材４０の後側に着脱可能に配設された前記図柄表示装置Ｈにおける図柄変動演出やその他表示演出が行われる表示部Ｈ１が、枠状装飾部材３５の表示窓口３５Ａを介して前側から視認可能に構成されている。また遊技盤Ｄには、前記枠状装飾部材３５の下側に、始動入賞装置３６および特別入賞装置３７が配設されると共に、遊技領域３０内には、多数の遊技釘３８や回転案内具３９等の各種遊技部品が配設されている。これにより遊技盤Ｄは、打球発射装置Ｇ２によって遊技領域３０に打ち出されたパチンコ球を、遊技釘３８で誘導したり回転案内具３９で振り分けて、該遊技領域３０を流下するパチンコ球の動きを不規則に変化させ得るようになっている。
【００２６】
(設置部材)
前記設置部材４０は、図２および図５に示すように、前方に開放するバケット状に形成された合成樹脂製の部材であって、前側の開放端を遊技盤Ｄの後面に突き合わせて該遊技盤Ｄに取り付けられている。設置部材４０は、遊技盤Ｄの後面を構成する設置壁部４１と、この設置壁部４１の周縁から前方へ延出形成された外周壁部４２と、この外周壁部４２の前端から外方に向けて延出形成された縁板部４３等を備え、これら設置壁部４１、外周壁部４２および縁板部４３は一体的に形成されている。設置壁部４１には、図柄表示装置Ｈの表示部Ｈ１が整合する表示開口４４が形成されている。また前記設置壁部４１の前側には、図１に示すように、前記枠状装飾部材３５の表示窓口３５Ａに臨む装飾部材や各種可動演出装置４５等が配設され、また該設置壁部４１の後側には、図２に示すように、前記図柄表示装置Ｈ、当該パチンコ機Ｐを総合的に制御する主制御装置４６、前記図柄表示装置Ｈの表示部Ｈ１における図柄の表示演出を行なう表示制御装置４７、前記可動演出装置４５やスピーカおよび照明手段等を制御する統括制御装置４８、これら制御装置と機器とを中継する中継基板等が配設されている。
【００２７】
(互換防止構造)
次に、実施例に係る遊技盤の互換防止構造について説明する。ここでは、図１〜図６に示す中枠Ｂ(Ｂ１)および該中枠Ｂ１に装着される遊技盤Ｄ(Ｄ１)を備えるパチンコ機「第１のパチンコ機Ｐ１」と、この第１のパチンコ機Ｐ１のモデルチェンジを行なうことで該第１のパチンコ機Ｐ１と主要構成部品が異なり、図１２〜図１４に示す中枠Ｂ(Ｂ２)および該中枠Ｂ２に装着される遊技盤Ｄ(Ｄ２)を備えるパチンコ機「第２のパチンコ機Ｐ２」を例示する。そして、実施例の遊技盤の互換防止構造では、(１)第１パチンコ機Ｐ１と第２パチンコ機Ｐ２との間での遊技盤の互換防止、(２)第１のパチンコ機Ｐ１においてマイナーチェンジを行なった際のマイナーチェンジ前後の各第１のパチンコ機Ｐ１での遊技盤Ｄ１の互換防止、および第２のパチンコ機Ｐ２においてマイナーチェンジを行なった際のマイナーチェンジ前後の各第２のパチンコ機Ｐ２での遊技盤Ｄ２の互換防止、を図り得るようになっている。
【００２８】
ここで、パチンコ機Ｐにおける前記主要構成部品とは、当該パチンコＰを構成するうえで必要不可欠で基本的な構成部品である。また主要構成部品は、前記中枠Ｂの遊技盤保持部１４に収容保持した遊技盤Ｄによりパチンコ遊技を行なううえで必要不可欠で基本的な構成部材である。例えば、前記外枠Ａ、中枠Ｂ、前枠Ｃ、打球発射装置Ｇ２等が、パチンコ機Ｐにおける主要構成部材である。従って、前記第１のパチンコ機Ｐ１とモデルチェンジ後の第２のパチンコ機Ｐ２とは、外側から見える部分の外見的なデザイン(前枠Ｃ、上球皿Ｅおよび下球皿Ｆのデザイン等)が異なっていると共に、前記中枠Ｂや前枠Ｃの外側から見えない基本構造も異なっている。更に、モデルチェンジにおいては、例えば遊技内容や演出内容に関して新機能が追加されたり、照明手段や装飾部材、操作ボタンやスイッチ等が更に追加されることもある。
【００２９】
一方、第１のパチンコ機Ｐ１におけるマイナーチェンジおよび第２のパチンコ機Ｐ２におけるマイナーチェンジは、前述した主要構成部品の基本構造については変更なし若しくは軽微な変更に留まり、主として外側から見える部分の外見的なデザインが異なるように変更するものである。例えば、前枠Ｃを構成する装飾パネルのデザインおよび形状の変更や、上球皿Ｅおよび下球皿Ｆのデザイン変更や、前記操作ボタン２７の構成部品における一部の部品の形状や色の変更等は、マイナーチェンジにより行なわれる。
【００３０】
そして、第１のパチンコ機Ｐ１用の中枠Ｂ１および第２のパチンコ機Ｐ２用の中枠Ｂ２は、前述したように、主要構成部品が異なるから種別が異なる。また、第１のパチンコ機Ｐ１用の中枠Ｂ１に組み合わされる遊技盤Ｄ１および第２のパチンコ機Ｐ２用の中枠Ｂ２に組み合わされる遊技盤Ｄ２は種別が異なる。一方、第１のパチンコ機Ｐ１におけるマイナーチェンジ前の中枠Ｂ１およびマイナーチェンジ後の中枠Ｂ１は種別が異なると共に、第２のパチンコ機Ｐ２におけるマイナーチェンジ前の中枠Ｂ２およびマイナーチェンジ後の中枠Ｂ２は種別が異なっている。また、第１のパチンコ機Ｐ１におけるマイナーチェンジ前後の各中枠Ｂ１に組み合わせ可能に構成される遊技盤Ｄ１は１種類に限らず複数種類が設定される場合もあり、マイナーチェンジ前の中枠Ｂ１に組み合わせ可能に構成された複数種類の各遊技盤Ｄ１は種別が同じであり、マイナーチェンジ後の中枠Ｂ１に組み合わせ可能に構成された複数種類の各遊技盤Ｄ１は種別が同じである。但し、マイナーチェンジ前の中枠Ｂ１に組み合わせ可能に構成された各遊技盤Ｄ１とマイナーチェンジ後の中枠Ｂ１に組み合わせ可能に構成された遊技盤Ｄ１とは種別が異なっている。同様に、第２のパチンコ機Ｐ２におけるマイナーチェンジ前後の各中枠Ｂ２,Ｂ２に組み合わせ可能に構成される遊技盤Ｄ２は１種類に限らず複数種類が設定される場合もあり、マイナーチェンジ前の中枠Ｂ２に組み合わせ可能に構成された複数種類の各遊技盤Ｄ２は種別が同じであり、マイナーチェンジ後の中枠Ｂ２に組み合わせ可能に構成された複数種類の各遊技盤Ｄ２は種別が同じである。但し、マイナーチェンジ前の中枠Ｂ２に組み合わせ可能に構成された各遊技盤Ｄ２とマイナーチェンジ後の中枠Ｂ２に組み合わせ可能に構成された遊技盤Ｄ２とは種別が異なっている。
【００３１】
ここで表１は、実施例における中枠Ｂの種別と遊技盤Ｄの種別との対応関係を例示したものである。実施例では、中枠Ｂの種別の数(実施例では６つ)だけ遊技盤Ｄがグループ化され、中枠Ｂの種別毎に収容保持可能な遊技盤Ｄが定められている。すなわち、モデルチェンジ前の第１のパチンコ機Ｐ１では、初期型の第１のパチンコ機Ｐ１用の中枠Ｂ１、第１回目のモデルチェンジ後の第１のパチンコ機Ｐ１用の中枠Ｂ１、第２回目のモデルチェンジ後の第１のパチンコ機Ｐ１用の中枠Ｂ１とがある。そして、種別グループ１の各遊技盤Ｄ１ａ,Ｄ１ｂ,Ｄ１ｃは初期型の第１のパチンコ機Ｐ１用の中枠Ｂ１に収容保持されるものを示し、種別グループ２の各遊技盤Ｄ１ｄ,Ｄ１ｅは第１回目のマイナーチェンジ後の第１のパチンコ機Ｐ１用の中枠Ｂ１に収容保持されるものを示すと共に、種別グループ３の各遊技盤Ｄ１ｆ,Ｄ１ｇは第２回目のマイナーチェンジ後の第１のパチンコ機Ｐ１用の中枠Ｂ１に収容保持されるものを示している。一方、モデルチェンジ後の第２のパチンコ機Ｐ２では、初期型の第２のパチンコ機Ｐ２用の中枠Ｂ２、第１回目のモデルチェンジ後の第２のパチンコ機Ｐ２用の中枠Ｂ１、第２回目のモデルチェンジ後の第２のパチンコ機Ｐ２用の中枠Ｂ２とがある。そして、種別グループ４の各遊技盤Ｄ２ａ,Ｄ２ｂ,Ｄ２ｃは初期型の第２のパチンコ機Ｐ２用の中枠Ｂ２に収容保持されるものを示し、種別グループ５の各遊技盤Ｄ２ｄ,Ｄ２ｅは第１回目のマイナーチェンジ後の第２のパチンコ機Ｐ２用の中枠Ｂ２に収容保持されるものを示すと共に、種別グループ６の各遊技盤Ｄ２ｆ,Ｄ２ｇは第２回目のマイナーチェンジ後の第２のパチンコ機Ｐ２用の中枠Ｂ２に収容保持されるものを示している。各種別グループ１〜６に含まれる遊技盤Ｄの数としては、表１に示すものに限らず、遊技盤Ｄ毎に属する種別グループが都度定められる。また中枠Ｂは、種別が一定ではなく、モデルチェンジおよびマイナーチェンジが行なわれる毎に増加する。なお、モデルチェンジ前後の遊技盤Ｄ１,Ｄ２およびマイナーチェンジ前後の遊技盤Ｄ１,Ｄ２は、各遊技盤Ｄ１,Ｄ２を構成する前記基材２９は同一形状のものが使用される。
【００３２】
【表１】
0005848629.tif 000002
【００３３】
実施例の遊技盤の互換防止構造は、前記中枠Ｂの遊技盤保持部１４が、モデルチェンジ前後の該中枠Ｂの種別毎に固有の形状が形成されていると共に、マイナーチェンジ前後の該中枠Ｂの種別毎に固有の形状に形成されている。また、前記遊技盤Ｄは、モデルチェンジ前後の該遊技盤Ｄの種別毎に固有の形状が形成されていると共に、マイナーチェンジ前後の該遊技盤Ｄの種別毎に固有の形状に形成されている。従って、中枠Ｂの遊技盤保持部１４と整合する形状をなす遊技盤Ｄだけが、該遊技盤保持部１４への装着が許容されるよう構成されている。具体的に、実施例の遊技盤の互換防止構造では、図３〜６および図１２〜図１４に示すように、中枠Ｂ(Ｂ１,Ｂ２)の遊技盤保持部１４に設けられ、当該中枠Ｂ(Ｂ１,Ｂ２)の種別毎に決められた位置に設けられる中枠識別部(被識別部)Ｓ(Ｓ１,Ｓ２)と、遊技盤Ｄ(Ｄ１,Ｄ２)において前記遊技盤保持部１４に設けた中枠識別部Ｓ(Ｓ１,Ｓ２)に整合する位置に設けられ、該中枠識別部Ｓ(Ｓ１,Ｓ２)に整合する形状をなす遊技盤識別部(識別部)Ｍ(Ｍ１,Ｍ２)とを有している。すなわち、組み合わせ可能な中枠Ｂおよび遊技盤Ｄにおいては、前記中枠識別部Ｓ(Ｓ１,Ｓ２)と遊技盤識別部Ｍ(Ｍ１,Ｍ２)とが整合するようになり、該中枠Ｂの遊技盤保持部１４に対する該遊技盤Ｄの装着を許容する。しかしながら、組み合わせ不能な中枠Ｂおよび遊技盤Ｄにおいては、中枠識別部Ｓ(Ｓ１,Ｓ２)と遊技盤識別部Ｍ(Ｍ１,Ｍ２)とが整合せず、該中枠Ｂの遊技盤保持部１４に対して該遊技盤Ｄの装着が不能となる。
【００３４】
そして、実施例の遊技盤の互換防止構造では、遊技盤Ｄ(Ｄ１,Ｄ２)側の遊技盤識別部Ｍ(Ｍ１,Ｍ２)が、前記第１コーナー部材６０または第２コーナー部材７０に形成されている。すなわち、前記中枠Ｂの遊技盤保持部１４に設けられた前記中枠識別部Ｓ(Ｓ１,Ｓ２)と整合する位置に遊技盤識別部Ｍ(Ｍ１,Ｍ２)が設けられた第１コーナー部材６０または第２コーナー部材７０を装着した遊技盤Ｄだけが、該中枠Ｂに適合する組み合わせの遊技盤Ｄとして、該遊技盤識別部Ｍ(Ｍ１,Ｍ２)および中枠識別部Ｓ(Ｓ１,Ｓ２)の整合下に遊技盤保持部１４への装着が許容されるよう構成されている。
【００３５】
(中枠識別部)
前記第１のパチンコ機Ｐ１用の中枠Ｂ１に設けられる第１中枠識別部Ｓ１は、図４、図５、図９および図１０に示すように、左枠部材１２において遊技盤保持部１４の左縁部１４Ａの上部に設けられた第１取付部９０に取り付けられ、該第１取付部９０に取り付けた第１中枠識別部Ｓ１は、遊技盤Ｄ１の第１コーナー部５０に取り付けられた前記第１コーナー部材６０と前後に対向するように位置する。一方、前記第２のパチンコ機Ｐ２用の中枠Ｂ２に設けられる第２中枠識別部Ｓ２は、図９、図１３および図１４に示すように、遊技盤保持部１４において左縁部１４Ａの下部に設けられた第２取付部９５に取り付けられ、該第２取付部９５に取り付けた第２中枠識別部Ｓ２は、遊技盤Ｄ２の第２コーナー部５１に取り付けられた前記第２コーナー部材７０と前後に対向するように位置する。
【００３６】
前記第１中枠識別部Ｓ１および第２中枠識別部Ｓ２は、図９および図１０に示すように、中枠Ｂ１,Ｂ２とは別体に構成され、同一形状に形成されたものである。第１中枠識別部Ｓ１および第２中枠識別部Ｓ２は、略矩形のブロック状に形成された係止突部８５と、前記係止突部８５の左縁に該係止突部８５に一体的に形成され、該係止突部８５を挟んで上方および下方へ延出する取付板部８６とを備えた成形部材である。係止突部８５は、図１０に示すように、上面および下面が水平かつ平行に形成されると共に取付板部８６側および右側の突出端が垂直かつ平行に形成され、前側から見ると略正方形に形成されている。また、係止突部８５の後面は、前面に対して突出端に近づくにつれて前方へ斜めに傾斜しており、該係止突部８５は、取付板部８６側の基端から右側の突出端に向けて前後幅が徐々に小さくなっている。前記取付板部８６の係止突部８５を挟んだ上部および下部には、リベット８８が挿通可能なリベット挿通孔８７,８７が開口形成されている。各リベット挿通孔８７,８７は、各々の中心位置での上下距離が形成間隔Ｌとなるように形成されている。
【００３７】
(第１取付部)
第１中枠識別部Ｓ１を取り付けるための前記第１取付部９０は、図１０に示すように、前記左枠部材１２に上下直列に配列された複数(実施例では６個)の貫通孔９１から構成されている。各貫通孔９１は、前記リベット８８が挿通可能で、かつ該リベット８８のかしめ変形させた先端が係止可能なサイズに形成されている。そして、最も上方に位置する貫通孔９１(第１貫通孔９１Ａ)と上から４番目に位置する貫通孔９１(第１貫通孔９１Ａ)とは、各々の中心位置での上下距離が前記形成間隔Ｌとなるように形成されている。また、上から２番目に位置する貫通孔９１(第２貫通孔９１Ｂ)と上から５番目に位置する貫通孔９１(第２貫通孔９１Ｂ)とは、各々の中心位置での上下距離が前記形成間隔Ｌとなるように形成されている。更に、上から３番目に位置する貫通孔９１(第３貫通孔９１Ｃ)と最も下方に位置する貫通孔９１(第３貫通孔９１Ｃ)とは、各々の中心位置での上下距離が前記形成間隔Ｌとなるように形成されている。
【００３８】
従って、前記第１中枠識別部Ｓ１は、両リベット挿通孔８７,８７と第１取付部９０の各第１貫通孔９１Ａ,９１Ａとが夫々整合した位置(第１位置)と、両リベット挿通孔８７,８７と第１取付部９０の各第２貫通孔９１Ｂ,９１Ｂとが夫々整合して前記第１位置より低い位置(第２位置)と、両リベット挿通孔８７,８７と第１取付部９０の各第３貫通孔９１Ｃ,９１Ｃとが夫々整合して前記第２位置より低い位置(第３位置)との３位置において、リベット挿通孔８７および挿通孔９１に挿通させた両リベット８８,８８の左枠部材１２から外側に突出した先端をかしめ変形させることで中枠Ｂに固定可能となっている。すなわち、前記第１中枠識別部Ｓ１は、後述するように、第１のパチンコ機Ｐ１のマイナーチェンジに関連して、中枠Ｂ１に対して上下３段階で取付位置を設定することが可能となっている。
【００３９】
(第２取付部)
第２中枠識別部Ｓ２を取り付けるための前記第２取付部９５は、図９に示すように、前記左枠部材１２に上下直列に配列された複数(実施例では５個)の貫通孔９６から構成されている。各貫通孔９６は、前記リベット８８が挿通可能で、かつ該リベット８８のかしめ変形させた先端が係止可能なサイズに形成されている。そして、最も下方に位置する貫通孔９６(第１貫通孔９６Ａ)と下から３番目に位置する貫通孔９６(第１貫通孔９６Ａ)とは、各々の中心位置での上下距離が前記形成間隔Ｌとなるように形成されている。また、下から２番目に位置する貫通孔９６(第２貫通孔９６Ｂ)と下から４番目に位置する貫通孔９６(第２貫通孔９６Ｂ)とは、各々の中心位置での上下距離が前記形成間隔Ｌとなるように形成されている。更に、下から３番目に位置する貫通孔９６(第１貫通孔９６Ａと兼用となる第３貫通孔９６Ｃ)と最も上に位置する貫通孔９６(第３貫通孔９６Ｃ)とは、各々の中心位置での上下距離が前記形成間隔Ｌとなるように形成されている。
【００４０】
従って、前記第２中枠識別部Ｓ２は、両リベット挿通孔８７,８７と第２取付部９５の各第１貫通孔９６Ａ,９６Ａとが夫々整合した位置(第４位置)と、両リベット挿通孔８７,８７と第２取付部９５の各第２貫通孔９６Ｂ,９６Ｂとが夫々整合して前記第４位置より高い位置(第５位置)と、両リベット挿通孔８７,８７と第２取付部９５の各第３貫通孔９６Ｃ,９６Ｃとが夫々整合して前記第５位置より高い位置(第６位置)との３位置において、リベット挿通孔８７および貫通孔９６に挿通させた両リベット８８,８８の左枠部材１２から外側に突出した先端をかしめ変形させることで中枠Ｂに固定可能となっている。すなわち、前記第２中枠識別部Ｓ２は、後述するように、第２のパチンコ機Ｐ２のマイナーチェンジに関連して、中枠Ｂ２に対して上下３段階で取付位置を設定することが可能となっている。
【００４１】
そして、実施例の遊技盤の互換防止構造では、第１のパチンコ機Ｐ１用の中枠Ｂ１と組み合わされる第１のパチンコ機Ｐ１用の遊技盤Ｄ１においては、図５〜図８および図１１に示すように、前記中枠Ｂ１の第１取付部９０に取り付けられた第１中枠識別部Ｓ１が整合する第１遊技盤識別部Ｍ１が形成された第１コーナー部材６０を前記第１コーナー部５０に取り付けると共に、第２遊技盤識別部Ｍ２が形成されていない第２コーナー部材７０を前記第２コーナー部５１に取り付けるようになっている。一方、第２のパチンコ機Ｐ２用の中枠Ｂ２と組み合わされる第２のパチンコ機Ｐ２用の遊技盤Ｄ２においては、図１４および図１５に示すように、前記中枠Ｂ１の第２取付部９５に取り付けられた第２中枠識別部Ｓ２が整合する第２遊技盤識別部Ｍ２が形成された第２コーナー部材７０を前記第２コーナー部５１に取り付けると共に、第１遊技盤識別部Ｍ１が形成されていない第１コーナー部材６０を前記第１コーナー部５０に取り付けるようになっている。すなわち、第１のパチンコ機Ｐ１用の遊技盤Ｄ１および第２のパチンコ機Ｐ２用の遊技盤Ｄ２は、両遊技盤Ｄ１,Ｄ２を構成する前記基材２９は同一形状のものが共通に使用され、前記第１遊技盤識別部Ｍ１の形成位置が異なる第１コーナー部材６０および第１遊技盤識別部Ｍ１が形成されていない第１コーナー部材６０と、前記第２遊技盤識別部Ｍ２の形成位置が異なる第２コーナー部材７０および第２遊技盤識別部Ｍ２が形成されていない第２コーナー部材７０とを、各種別に応じて選択して第１コーナー部５０および第２コーナー部５１に取付けるようになっている。
【００４２】
(第１のパチンコ機用の第１コーナー部材)
第１のパチンコ機Ｐ１用の遊技盤Ｄ１に配設される第１コーナー部材６０に設けられる第１遊技盤識別部Ｍ１は、図５〜図７に示すように、前記本体部６１の左側面６１Ａに臨む部分に、左側面６１Ａに開口すると共に前面６１Ｂに開口するよう略矩形に凹んだ係合凹部である。前記第１遊技盤識別部Ｍ１は、前記第１中枠識別部Ｓ１が前方および左側方から係合可能な開口幅および奥行きに形成されており、遊技盤Ｄ１を中枠Ｂ１の遊技盤保持部１４に取り付ける際に該第１中枠識別部Ｓ１が係合し得るようになっている。
【００４３】
(第２のパチンコ機用の第２コーナー部材)
第２のパチンコ機Ｐ２用の遊技盤Ｄ２に配設される第２コーナー部材７０に設けられる第２遊技盤識別部Ｍ２は、図１４に示すように、左側面７１Ａに臨む部分に、左側面７１Ａに開口すると共に前面７１Ｂに開口するよう略矩形に凹んだ係合凹部である。前記第２遊技盤識別部Ｍ２は、前記第２中枠識別部Ｓ２が前方および左側方から係合可能な開口幅および奥行きに形成されており、遊技盤Ｄ２を中枠Ｂ２の遊技盤保持部１４に取り付ける際に該第２中枠識別部Ｓ２が係合し得るようになっている。
【００４４】
従って、第１のパチンコ機Ｐ１用の中枠Ｂ１と組み合わされる第１のパチンコ機Ｐ１用の遊技盤Ｄ１は、第２遊技盤識別部Ｍ２が形成されていない第２コーナー部材７０が第２コーナー部５１に取り付けられているので、第２取付部９５に第２中枠識別部Ｓ２が取り付けられた第２のパチンコ機Ｐ２用の中枠Ｂ２の遊技盤保持部１４に取り付けることが不可能であり、両遊技盤Ｄ１,Ｄ２の互換防止が好適に図られる。また、第２のパチンコ機Ｐ２用の中枠Ｂ２と組み合わされる第２のパチンコ機Ｐ２用の遊技盤Ｄ２は、第１遊技盤識別部Ｍ１が形成されていない第１コーナー部材６０が第１コーナー部５０に取り付けられているので、第１取付部９０に第１中枠識別部Ｓ１が取り付けられた第１のパチンコ機Ｐ１用の中枠Ｂ１の遊技盤保持部１４に取り付けることが不可能であり、両遊技盤Ｄ１,Ｄ２の互換防止が好適に図られる。
【００４５】
(マイナーチェンジ前後の遊技盤の互換防止)
前記第１のパチンコ機Ｐ１におけるマイナーチェンジにおいては、中枠Ｂ１の第１取付部９０に対する前記第１中枠識別部Ｓ１の取付位置を変更すると共に、第１中枠識別部Ｓ１の取付位置に合わせて第１遊技盤識別部Ｍ１の形成位置が異なる第１コーナー部材６０を遊技盤Ｄ１の第１コーナー部５０に取り付けて対応するようになっている。また、第２コーナー部材７０は、第２遊技盤識別部Ｍ２が形成されていないものをマイナーチェンジ前後において共用する。すなわち、第１のパチンコ機Ｐ１用の遊技盤Ｄ１では、マイナーチェンジの前後において、該遊技盤Ｄ１を構成する前記基材２９は同一形状のものが共通に使用されるようになっており、前記第１遊技盤識別部Ｍ１の形成位置が異なる第１コーナー部材６０を、マイナーチェンジに応じて選択的に第１コーナー部５０に取付ける。
【００４６】
具体的には、図１１に示すように、初期型の第１のパチンコ機Ｐ１用の中枠Ｂ１では、前記左枠部材１２の第１取付部９０に対する第１中枠識別部Ｓ１の取付位置を前記第１位置とし(図１１(ａ))、第１回目のマイナーチェンジ後の第１のパチンコ機Ｐ１用の中枠Ｂ１では第１中枠識別部Ｓ１の取付位置を前記第２位置とし(図１１(ｂ))、第２回目のマイナーチェンジ後の第１のパチンコ機Ｐ１用の中枠Ｂ１では、第１中枠識別部Ｓ１の取付位置を前記第３位置とする(図１１(ｃ))ように構成されている。一方、初期型の第１のパチンコ機Ｐ１用の遊技盤Ｄ１(表１におけるＤ１ａ,Ｄ１ｂ,Ｄ１ｃ)は、前記第１位置に取り付けた第１中枠識別部Ｓ１が整合する位置に第１遊技盤識別部Ｍ１が形成された第１コーナー部材６０(６０Ａ)を遊技盤Ｄ１の第１コーナー部５０に取り付け(図１１(ａ))、第１回目のマイナーチェンジ後の第１のパチンコ機Ｐ１用の遊技盤Ｄ１(表１におけるＤ１ｄ,Ｄ１ｅ)は、前記第２位置に取り付けた第１中枠識別部Ｓ１が整合する位置に第１遊技盤識別部Ｍ１が形成された第１コーナー部材６０(６０Ｂ)を遊技盤Ｄ１の第１コーナー部５０に取り付け(図１１(ｂ))、第２回目のマイナーチェンジ後の第１のパチンコ機Ｐ１用の遊技盤Ｄ１(表１におけるＤ１ｆ,Ｄ１ｇ)は、前記第３位置に取り付けた第１中枠識別部Ｓ１が整合する位置に第１遊技盤識別部Ｍ１が形成された第１コーナー部材６０(６０Ｃ)を遊技盤Ｄ１の第１コーナー部５０に取り付ける(図１１(ｃ))ように構成されている。すなわち、第１回目のマイナーチェンジ後の遊技盤Ｄ１(Ｄ１ｄ,Ｄ１ｅ)に取り付けられる第１コーナー部材６０(６０Ｂ)に形成された第１遊技盤識別部Ｍ１は、初期型の遊技盤Ｄ１(Ｄ１ａ,Ｄ１ｂ,Ｄ１ｃ)に取り付けられる第１コーナー部材６０(６０Ａ)に形成された第１遊技盤識別部Ｍ１より下方に位置し、第２回目のマイナーチェンジ後の遊技盤Ｄ１(Ｄ１ｆ,Ｄ１ｇ)に取り付けられる第１コーナー部材６０(６０Ｃ)に形成された第１遊技盤識別部Ｍ１は、第１回目のマイナーチェンジ後の遊技盤Ｄ１(Ｄ１ｄ,Ｄ１ｅ)に取り付けられる第１コーナー部材６０(６０Ｂ)に形成された第１遊技盤識別部Ｍ１より下方に位置している。
【００４７】
従って、マイナーチェンジ後の第１のパチンコ機Ｐ１の中枠Ｂ１には、マイナーチェンジ後の第１パチンコＰ１に対応する遊技盤Ｄ１の装着が許容されるが、マイナーチェンジ前の第１パチンコＰ１に対応する遊技盤Ｄ１の装着は、第１中枠識別部Ｓ１と第１遊技盤識別部Ｍ１とが整合しないので許容されない。すなわち、第１のパチンコ機Ｐ１では、マイナーチェンジを行なう毎に、中枠Ｂ１の第１取付部９０に対する第１中枠識別部Ｓ１の取付位置を変更すると共に、第１遊技盤識別部Ｍ１の形成位置が異なる第１コーナー部材６０(６０Ａ,６０Ｂ,６０Ｃ)を選択使用することにより、マイナーチェンジ前後において遊技盤Ｄ１の互換防止を図ることができる。
【００４８】
一方、第２のパチンコ機Ｐ２におけるマイナーチェンジにおいては、中枠Ｂ２に対する前記第２中枠識別部Ｓ２の取付位置を変更すると共に、第２中枠識別部Ｓ２の取付位置に合わせて第２遊技盤識別部Ｍ２の形成位置が異なる第２コーナー部材７０を遊技盤Ｄ２の第２コーナー部５１に取り付けることで対応するようになっている。また、第１コーナー部材６０は、第１遊技盤識別部Ｍ１が形成されていないものをマイナーチェンジ前後において共用する。すなわち、第２のパチンコ機Ｐ２用の遊技盤Ｄ２では、マイナーチェンジの前後において、該遊技盤Ｄ１２構成する前記基材２９は同一形状のものが共通に使用されるようになっており、前記第２遊技盤識別部Ｍ２の形成位置が異なる第２コーナー部材７０を、マイナーチェンジに応じて選択的に第２コーナー部５１に取付ける。
【００４９】
具体的には、図１５に示すように、初期型の第２のパチンコ機Ｐ２用の中枠Ｂ２では、前記左枠部材１２の第２取付部９５に対する第２中枠識別部Ｓ２の取付位置を前記第４位置とし(図１５(ａ))、第１回目のマイナーチェンジ後の第２のパチンコ機Ｐ２用の中枠Ｂ２では第２中枠識別部Ｓ２の取付位置を前記第５位置とし(図１５(ｂ))、第２回目のマイナーチェンジ後の第２のパチンコ機Ｐ２用の中枠Ｂ２では第２中枠識別部Ｓ２の取付位置を前記第６位置とする(図１５(ｃ))ように構成されている。一方、初期型の第２のパチンコ機Ｐ２用の遊技盤Ｄ２(表１におけるＤ２ａ,Ｄ２ｂ,Ｄ２ｃ)は、前記第４位置に取り付けた第２中枠識別部Ｓ２が整合する位置に第２遊技盤識別部Ｍ２が形成された第２コーナー部材７０(７０Ａ)を遊技盤Ｄ２の第２コーナー部５１に取り付け(図１５(ａ))、第１回目のマイナーチェンジ後の第２のパチンコ機Ｐ２用の遊技盤Ｄ２(表１におけるＤ２ｄ,Ｄ２ｅ)は、前記第５位置に取り付けた第２中枠識別部Ｓ２が整合する位置に第２遊技盤識別部Ｍ２が形成された第２コーナー部材７０(７０Ｂ)を遊技盤Ｄ２の第２コーナー部５１に取り付け(図１５(ｂ))、第２回目のマイナーチェンジ後における第２のパチンコ機Ｐ２用の遊技盤Ｄ２(表１におけるＤ２ｆ,Ｄ２ｇ)は、前記第６位置に取り付けた第２中枠識別部Ｓ２が整合する位置に第２遊技盤識別部Ｍ２が形成された第２コーナー部材７０(７０Ｃ)を遊技盤Ｄ２の第２コーナー部５１に取り付ける(図１５(ｃ))ように構成されている。すなわち、第１回目のマイナーチェンジ後の遊技盤Ｄ２(Ｄ２ｄ,Ｄ２ｅ)に取り付けられる第２コーナー部材７０(７０Ｂ)に形成された第２遊技盤識別部Ｍ２は、初期型の遊技盤Ｄ２(Ｄ２ａ,Ｄ２ｂ,Ｄ２ｃ)に取り付けられる第２コーナー部材７０(７０Ａ)に形成された第２遊技盤識別部Ｍ２より上方に位置し、第２回目のマイナーチェンジ後の遊技盤Ｄ２(Ｄ２ｆ,Ｄ２ｇ)に取り付けられる第２コーナー部材７０(７０Ｃ)に形成された第２遊技盤識別部Ｍ２は、第１回目のマイナーチェンジ後の遊技盤Ｄ２(Ｄ２ｄ,Ｄ２ｅ)に取り付けられる第１コーナー部材７０(７０Ｂ)に形成された第２遊技盤識別部Ｍ２より上方に位置している。
【００５０】
従って、マイナーチェンジ後の第２のパチンコ機Ｐ２の中枠Ｂ２には、マイナーチェンジ後の第２パチンコＰ２に対応する遊技盤Ｄ２の装着が許容されるが、マイナーチェンジ前の第１パチンコＰ１に対応する遊技盤Ｄ１の装着は、第２中枠識別部Ｓ２と第２遊技盤識別部Ｍ２とが整合しないので許容されない。すなわち、第２のパチンコ機Ｐ２では、マイナーチェンジを行なう毎に、中枠Ｂ２の第２取付部９５に対する第２中枠識別部Ｓ２の取付位置を変更すると共に、第２遊技盤識別部Ｍ２の形成位置が異なる第２コーナー部材７０(７０Ａ,７０Ｂ,７０Ｃ)を選択使用することにより、マイナーチェンジ前後において遊技盤Ｄ２の互換防止を図ることができる。
【００５１】
(種別表示部)
そして、実施例の遊技機の互換防止構造では、第１取付部９０の貫通孔９１に挿通係止された前記リベット８８または第２取付部９５の貫通孔９６に挿通係止された前記リベット８８が、当該中枠Ｂが対応するパチンコ機Ｐ(Ｐ１,Ｐ２)の種別を識別する種別表示部として機能し得るようになっている。図１６(ａ)および図１６(ｂ)に示すように、前記第１取付部９０における各貫通孔９１は、中枠Ｂの左枠部材１２に左右に貫通するよう形成されて該左枠部材１２の外側から視認可能であり、また前記第１中枠識別部Ｓ１を取り付けるため前記貫通孔９１に挿通してかしめ変形された前記リベット８８も左枠部材１２の外側から視認可能である。同様に、前記第２取付部９５における各貫通孔９６は、中枠Ｂの左枠部材１２に左右に貫通するよう形成されて該左枠部材１２の外側から視認可能であり、また前記第２中枠識別部Ｓ２を取り付けるため前記貫通孔９６に挿通してかしめ変形された前記リベット８８も左枠部材１２の外側から視認可能である。従って、前記第１取付部９０の貫通孔９１にリベット８８が視認されると共に第２取付部９５の貫通孔９６にリベット８８が視認されない場合には、当該中枠Ｂが第１のパチンコ機Ｐ１用であることが識別可能であり、前記第２取付部９５の貫通孔９６にリベット８８が視認されると共に第１取付部９０の貫通孔９１にリベット８８が視認されない場合には、当該中枠Ｂが第２のパチンコ機Ｐ２用であることが識別可能である。
【００５２】
更に、第１取付部９０または第２取付部９５の何れの貫通孔９１,９６にリベット８８が挿通係止されているかを確認することで、当該中枠Ｂが対応するパチンコ機Ｐ(Ｐ１,Ｐ２)のマイナーチェンジ前後の種別を識別することが可能である。第１のパチンコ機Ｐ１用の中枠Ｂ１においては、図１６(ｂ)に示すように、第１取付部９０の第１貫通孔９１Ａ,９１Ａにリベット８８,８８が挿通係止されている場合には、当該中枠Ｂ１が初期型の第１のパチンコ機Ｐ１用であることが識別可能であり、第１取付部９０の第２貫通孔９１Ｂ,９１Ｂにリベット８８,８８が挿通係止されている場合には、当該中枠Ｂ１が第１回目のマイナーチェンジ後の第１のパチンコ機Ｐ１用であることが識別可能であると共に、第１取付部９０の第３貫通孔９１Ｃ,９１Ｃにリベット８８,８８が挿通係止されている場合には、当該中枠Ｂ１が第２回目のマイナーチェンジ後の第１のパチンコ機Ｐ１用であることが識別可能である。一方、第２のパチンコ機Ｐ２用の中枠Ｂ２においては、図示省略するが、第２取付部９５の第１貫通孔９６Ａ,９６Ａにリベット８８,８８が挿通係止されている場合には、当該中枠Ｂ２が初期型の第２のパチンコ機Ｐ２用であることが識別可能であり、第２取付部９５の第２貫通孔９６Ｂ,９６Ｂにリベット８８,８８が挿通係止されている場合には、当該中枠Ｂ２が第１回目のマイナーチェンジ後の第２のパチンコ機Ｐ２用であることが識別可能であると共に、第２取付部９５の第３貫通孔９６Ｃ,９６Ｃにリベット８８,８８が挿通係止されている場合には、当該中枠Ｂ２が第２回目のマイナーチェンジ後の第２のパチンコ機Ｐ２用であることが識別可能である。
【００５３】
一方、前記第１コーナー部材６０では、前記本体部６１の前面６１Ｂに、該第１コーナー部材６０が取り付けられた遊技盤Ｄ１が、マイナーチェンジ前後の何れの第１のパチンコ機Ｐ１に対応するものであるかを識別するための種別表示部６６が設けられている。また、前記第２コーナー部材７０では、前記本体部７１の前面７１Ｂに、該第２コーナー部材７０が取り付けられた遊技盤Ｄ２が、マイナーチェンジ前後の何れの第２のパチンコ機Ｐ２に対応するものであるかを識別するための種別表示部７６が設けられている。前記各種別表示部６６,７６は、例えば予め種別毎に決められたアルファベット文字列や記号、またはイラストやマーク等からなり、該本体部７１に一体的に形成されたもの、該本体部７１に直接印刷されたもの、または別途成形したシール等である。
【００５４】
(実施例の作用)
次に、前述のように構成された実施例の遊技盤の互換防止構造の作用につき説明する。
【００５５】
第１のパチンコ機Ｐ１は、中枠Ｂ１の遊技盤保持部１４では、図９および図１１(ａ)に示すように、第１取付部９０の前記第１位置に第１中枠識別部Ｓ１が取り付けられ、遊技盤Ｄ１では、図５、図７および図１１(ａ)に示す位置に第１遊技盤識別部Ｍ１が形成された第１コーナー部材６０(６０Ａ)を遊技盤Ｄ１の第１コーナー部５０に取り付けると共に、第２中枠識別部が形成されていない第２コーナー部材７０を第２コーナー部５１に取り付ける。一方、第１のパチンコ機Ｐ１に対してモデルチェンジを行なうことで構成された第２のパチンコ機Ｐ２は、中枠Ｂ２の遊技盤保持部１４では、図９および図１５(ａ)に示すように、第２取付部９５の前記第４位置に第２中枠識別部Ｓ２が取り付けられ、遊技盤Ｄ２では、図１４および図１５(ａ)に示す位置に第２遊技盤識別部Ｍ２が形成された第２コーナー部材７０を遊技盤Ｄ２の第２コーナー部５１に取り付けると共に、第１中枠識別部６５が形成されていない第１コーナー部材６０を第１コーナー部５０に取り付ける。
【００５６】
そして、図１１(ａ)に示すように、図５に示す第１コーナー部材６０および第２コーナー部材７０を夫々装着した第１のパチンコ機Ｐ１用の遊技盤Ｄ１を、該第１のパチンコ機Ｐ１用の中枠Ｂ１の遊技盤保持部１４に装着する。すなわち遊技盤Ｄ１は、遊技盤保持部１４に対して前側から臨ませて、先ず該遊技盤Ｄ１の左端部を前記位置決め部１５,１５により位置決めして、該遊技盤Ｄ１に取り付けた第１コーナー部材６０の第１遊技盤識別部Ｍ１を中枠Ｂに設けた第１中枠識別部Ｓ１に相対させ、次いで遊技盤Ｄ１の右端部を中枠Ｂ１に近接させるように該遊技盤Ｄ１を遊技盤保持部１４に押し込む。この際に、中枠Ｂ１と遊技盤Ｄ１とが適切な組み合わせであるから、図３に示すように、該遊技盤Ｄ１の第１遊技盤識別部Ｍ１と該中枠Ｂ１の第１中枠識別部Ｓ１とが整合し、該遊技盤Ｄ１は中枠Ｂ１の遊技盤保持部１４へ適切にセットされる。従って、遊技盤Ｄ１の右端部の上下を前記固定具１６,１６で保持することで該遊技盤Ｄ１が中枠Ｂ１に装着され、中枠Ｂ１と遊技盤Ｄ１とが組み合わされた第１のパチンコ機Ｐ１が構成される。
【００５７】
また、図１５(ａ)に示すように、図１４に示す第２コーナー部材７０および第１コーナー部材６０を装着した第２のパチンコ機Ｐ２における遊技盤Ｄ２を、該第２のパチンコ機Ｐ２における中枠Ｂ２の遊技盤保持部１４に装着する。すなわち遊技盤Ｄ２は、遊技盤保持部１４に対して前側から臨ませて、先ず該遊技盤Ｄ２の左端部を前記位置決め部１５,１５により位置決めして、該遊技盤Ｄ２に取り付けた第２コーナー部材７０に第２遊技盤識別部Ｍ２を中枠Ｂに設けた第２中枠識別部Ｓ２に相対させ、次いで遊技盤Ｄ２の右端部を中枠Ｂ２に近接させるように該遊技盤Ｄ２を遊技盤保持部１４に押し込む。この際に、中枠Ｂ２と遊技盤Ｄ２とが適切な組み合わせであるから、図１２に示すように、該遊技盤Ｄ２の第２遊技盤識別部Ｍ２と該中枠Ｂ２の第２中枠識別部Ｓ２とが整合し、該遊技盤Ｄ２は中枠Ｂ２の遊技盤保持部１４へ適切にセットされる。従って、遊技盤Ｄ２の右端部の上下を前記固定具１６,１６で保持することで該遊技盤Ｄ２が中枠Ｂ２に装着され、中枠Ｂ２と遊技盤Ｄ２とが組み合わされた第２のパチンコ機Ｐ２が構成される。
【００５８】
一方、第１遊技盤識別部Ｍ１が形成されていない第１コーナー部材６０を取り付けたモデルチェンジ後の第２のパチンコ機Ｐ２用の遊技盤Ｄ２を、モデルチェンジ前の第１のパチンコ機Ｐ１用の中枠Ｂ１の遊技盤保持部１４に装着しようとした場合には、左端部を前記位置決め部１５,１５で位置決めした該遊技盤Ｄ２を遊技盤保持部１４へ押し込む際に、該中枠Ｂ１に固定した第１中枠識別部Ｓ１が第１コーナー部材６０に引掛かるので、該遊技盤Ｄ２を該中枠Ｂ１の遊技盤保持部１４へセットできない。従って、装着しようとした第２のパチンコ機Ｐ２用の遊技盤Ｄ２が、第１のパチンコ機Ｐ１に適合するものではなく、種別が異なるものであることが認識され、モデルチェンジ後の第２のパチンコ機Ｐ２用の該遊技盤Ｄ２がモデルチェンジ前の第１のパチンコ機Ｐ１の中枠Ｂ１に装着されてモデルチェンジ前の第１のパチンコ機Ｐ１として遊技に供される不都合が好適に回避できる。
【００５９】
同様に、第２遊技盤識別部Ｍ２が形成されていない第２コーナー部材７０を取り付けたモデルチェンジ前の第１のパチンコ機Ｐ１用の遊技盤Ｄ１を、モデルチェンジ後の第２のパチンコ機Ｐ２用の中枠Ｂ２の遊技盤保持部１４に装着しようとした場合には、左端部を前記位置決め部１５,１５で位置決めした該遊技盤Ｄ２を遊技盤保持部１４へ押し込む際に、該中枠Ｂ２に固定した第２中枠識別部Ｓ２が第２コーナー部材７０に引掛かるので、該遊技盤Ｄ１を該中枠Ｂ２の遊技盤保持部１４へセットできない。従って、装着しようとした第１のパチンコ機Ｐ１用の遊技盤Ｄ１が、第２のパチンコ機Ｐ２に適合するものではなく、種別が異なるものであることが認識され、モデルチェンジ前の第１のパチンコ機Ｐ１用の該遊技盤Ｄ１がモデルチェンジ後の第２のパチンコ機Ｐ２の中枠Ｂ２に装着されてモデルチェンジ後の第２のパチンコ機Ｐ２として遊技に供される不都合が好適に回避できる。
【００６０】
一方、第１のパチンコ機Ｐ１においては、前述したマイナーチェンジを行なった際に、第１遊技盤識別部Ｍ１の形成位置が異なる第１コーナー部材６０(６０Ｂ)を取り付けたマイナーチェンジ前の第１のパチンコ機Ｐ１用の遊技盤Ｄ１を、マイナーチェンジ後の第１のパチンコ機Ｐ１用の中枠Ｂ１の遊技盤保持部１４に装着しようとした場合には、左端部を前記位置決め部１５,１５で位置決めした該遊技盤Ｄ１を遊技盤保持部１４へ押し込む際に、第１中枠識別部Ｓ１が第１コーナー部材６０に引掛かるので、マイナーチェンジ前の該遊技盤Ｄ１をマイナーチェンジ後の該中枠Ｂ１の遊技盤保持部１４へセットできない。従って、装着しようとしたマイナーチェンジ前の第１のパチンコ機Ｐ１用の遊技盤Ｄ１が、マイナーチェンジ後の遊技盤Ｄ１でないことが認識され、マイナーチェンジ前の第１のパチンコ機Ｐ１用の該遊技盤Ｄ１がマイナーチェンジ後の第１のパチンコ機Ｐ１の中枠Ｂ１に装着されて、マイナーチェンジ後の第１のパチンコ機Ｐ１として遊技に供される不都合が好適に回避できる。同様に、マイナーチェンジ後の第１のパチンコ機Ｐ１用の遊技盤Ｄ１を、マイナーチェンジ前の第１のパチンコ機Ｐ１用の中枠Ｂ１に装着しようとする場合でも、第１中枠識別部Ｓ１が第１コーナー部材６０に引掛かるので、マイナーチェンジ後の第１のパチンコ機Ｐ１用の遊技盤Ｄ１がマイナーチェンジ前の第１のパチンコ機Ｐ用の中枠Ｂ１に装着されて、マイナーチェンジ前の第１のパチンコ機Ｐ１として遊技に供される不都合が好適に回避できる。
【００６１】
第２のパチンコ機Ｐ２においては、マイナーチェンジを行なった際に、第２遊技盤識別部Ｍ２の形成位置が異なる第２コーナー部材７０を取り付けたマイナーチェンジ前の第２のパチンコ機Ｐ２用の遊技盤Ｄ２を、マイナーチェンジ後の第２のパチンコ機Ｐ２用の中枠Ｂ２の遊技盤保持部１４に装着しようとした場合には、左端部を前記位置決め部１５,１５で位置決めした該遊技盤Ｄ２を遊技盤保持部１４へ押し込む際に、第２中枠識別部Ｓ２が第２コーナー部材７０に引掛かるので、マイナーチェンジ前の該遊技盤Ｄ２をマイナーチェンジ後の該中枠Ｂ２の遊技盤保持部１４へセットできない。従って、装着しようとしたマイナーチェンジ前の第２のパチンコ機Ｐ２用の遊技盤Ｄ２が、マイナーチェンジ後の遊技盤Ｄ２でないことが認識され、マイナーチェンジ前の第２のパチンコ機Ｐ２用の該遊技盤Ｄ２がマイナーチェンジ後の第２のパチンコ機Ｐ２の中枠Ｂ２に装着されて、マイナーチェンジ後の第２のパチンコ機Ｐ２として遊技に供される不都合が好適に回避できる。同様に、マイナーチェンジ後の第２のパチンコ機Ｐ２用の遊技盤Ｄ２を、マイナーチェンジ前の第２のパチンコ機Ｐ２用の中枠Ｂ２に装着しようとする場合でも、第２中枠識別部Ｓ２が第２コーナー部材７０に引掛かるので、マイナーチェンジ後の第２のパチンコ機Ｐ２用の遊技盤Ｄ２がマイナーチェンジ前の第２のパチンコ機Ｐ２用の中枠Ｂ１に装着されて、マイナーチェンジ前の第２のパチンコ機Ｐ２として遊技に供される不都合が好適に回避できる。
【００６２】
なお、各中枠Ｂ１,Ｂ２においては、第１中枠識別部Ｓ１または第２中枠識別部Ｓ２が、遊技盤保持部１４の左縁部１４Ａの上部または下部に設けられており、各遊技盤Ｄ１,Ｄ２においては、第１遊技盤識別部Ｍ１が形成された第１コーナー部材６０または第２遊技盤識別部Ｍ２が形成された第２コーナー部材７０が、遊技盤Ｄ１,Ｄ２の左上コーナー部５０または左下コーナー部５１に設けられている。このため、モデルチェンジやマイナーチェンジにより互いに組み合わせ不能な中枠Ｂに遊技盤Ｄを装着する場合は、該遊技盤Ｄの左端部を位置決め部１５,１５で位置決めする際または該遊技盤Ｄを遊技盤保持部１４へ押し込み始める際に、第１中枠識別部Ｓ１と第１遊技盤識別部Ｍ１または第２中枠識別部Ｓ２と第２遊技盤識別部Ｍ２とが整合しなくなる。従って、遊技盤保持部１４に対する遊技盤Ｄの装着作業の早い段階で組み合わせ不能な遊技盤であることを認識でき、遊技盤Ｄの装着作業を効率よく行なうことができる。
【００６３】
また、実施例の遊技盤の互換防止構造では、中枠Ｂにおける左枠部材１２の左外面を見て、第１取付部９０の貫通孔９１または第２取付部９５の貫通孔９６の何れに、先端をかしめ変形したリベット８８が挿通係止されているかを確認することで、当該中枠Ｂが使用されるパチンコ機Ｐの種別を識別することができる。例えば、第１中枠識別部Ｓを取り付けるためのリベット８８,８８が、第１取付部９０の第１貫通孔９１Ａ,９１Ａに貫通係止されていれば、当該中枠Ｂがモデルチェンジ前の第１パチンコ機Ｐ１の初期型用であることを識別でき、リベット８８,８８が、第１取付部９０の第２貫通孔９１Ｂ,９１Ｂに貫通係止されていれば、当該中枠Ｂが第１パチンコ機Ｐ１の第１回目のマイナーチェンジ後用であることを識別できると共に、リベット８８,８８が、第１取付部９０の第３貫通孔９１Ｃ,９１Ｃに貫通係止されていれば、当該中枠Ｂが第１パチンコ機Ｐ１の第２回目のマイナーチェンジ後用であることを識別できる。一方、第２中枠識別部Ｓを取り付けるためのリベット８８,８８が、第２取付部９５の第１貫通孔９６Ａ,９６Ａに貫通係止されていれば、当該中枠Ｂがモデルチェンジ後の第２パチンコ機Ｐ２の初期型用であることを識別でき、リベット８８,８８が、第２取付部９５の第２貫通孔９１Ｂ,９１Ｂに貫通係止されていれば、当該中枠Ｂが第２パチンコ機Ｐ２の第１回目のマイナーチェンジ後用であることを識別できると共に、リベット８８,８８が、第２取付部９５の第３貫通孔９１Ｃ,９１Ｃに貫通係止されていれば、当該中枠Ｂが第２パチンコ機Ｐ２の第２回目のマイナーチェンジ後用であることを識別できる。
【００６４】
そして、実施例の遊技盤の互換構造によれば、第１のパチンコ機Ｐ１における中枠Ｂ１と第２のパチンコ機Ｐ２における中枠Ｂ２とは、第１中枠識別部Ｓ１および第２中枠識別部Ｓ２を除く部分の共用化を図ることができるから、遊技盤の互換防止に関連して第１のパチンコ機Ｐ１および第２のパチンコ機Ｐ２の製造コストが嵩むことを防止し得る。また、第１のパチンコ機Ｐ１における遊技盤Ｄ１と第２のパチンコ機Ｐ２における遊技盤Ｄ２とは、第１コーナー部材６０および第２のコーナー部材７０を除く基材２９等の共用化を図ることができるから、遊技盤の互換防止に関連して第１のパチンコ機Ｐ１および第２のパチンコ機Ｐ２の製造コストが嵩むことを防止し得る。
【００６５】
〔変更例〕
本発明に係る遊技盤の互換防止構造は、実施例のものに限られず種々の変更が可能である。
（１）中枠Ｂ(Ｂ１,Ｂ２)に設けた第１中枠識別部Ｓ１および第２中枠識別部Ｓ２と、遊技盤Ｄ(Ｄ１,Ｄ２)に設けた第１遊技盤識別部Ｍ１および第２遊技盤識別部Ｍ２との形状、形態は、実施例で例示した形状、形態に限定されず、種別毎に異なる形状、形態であれば様々に変更可能である。例えば、中枠Ｂに設けられる第１中枠識別部Ｓ１および第２中枠識別部Ｓ２を凹形状とし、遊技盤Ｄの第１コーナー部材６０および第２コーナー部材７０に形成される第１遊技盤識別部Ｍ１および第２遊技盤識別部Ｍ２を凸形状としてもよい。
（２）第１中枠識別部Ｓ１を第２取付部９５に取り付けると共に第１遊技盤識別部Ｍ１を第２コーナー部材７０に設け、第２中枠識別部Ｓ２を第１取付部９０に取り付けると共に第２遊技盤識別部Ｍ２を第１コーナー部材６０に設けるようにしてもよい。
（３）第１中枠識別部Ｓ１を、第１コーナー部材６０の上縁に設けると共に、第１被遊技盤識別部Ｍ１を、中枠Ｄ１の上枠部材１０における遊技盤保持部１４に臨む部分において、該第１中枠識別部Ｓ１が整合する位置に設けるようにしてもよい。また、第２中枠識別部Ｓ２を、第２コーナー部材７０の下縁に設けると共に、第２被遊技盤識別部Ｍ２を、中枠Ｄ１の下枠部材１１における遊技盤保持部１４に臨む部分において、該第２中枠識別部Ｓ２が整合する位置に設けるようにしてもよい。
（４）実施例では、遊技盤構成部品として、遊技盤Ｄの前面に装着されるコーナー部材６０,７０を例示して、該コーナー部材６０,７０に遊技盤識別部Ｍ(Ｍ１,Ｍ２)を形成する形態を例示したが、遊技盤識別部Ｍ(Ｍ１,Ｍ２)を形成する遊技盤構成部品は、コーナー部材以外の部材、例えば前記盤面飾り部材３３や前記設置部材４０等、中枠Ｂ(Ｂ１,Ｂ２)の遊技盤保持部１４に臨む部材または部位であればよい。
（５）第１コーナー部材６０に設けられた種別表示部６６および第２コーナー部材７０に設けられた種別表示部７６は、本体部６１,７１の前面６１Ｂ,７１Ｂに、丸形や角形等に凸設した突状部または凹設した凹状部として、マイナーチェンジの前後に対応して種別表示部６６,７６の形成位置を変更するよう構成してもよい。このような種別表示部６６,７６では、その形成位置を確認することで、当該遊技盤Ｄが何れのパチンコ機Ｐに対応するものかを簡易に識別することができる。
（６）実施例では、遊技機としてのパチンコ機に配設される遊技盤の互換防止構造を示したが、これに限られるものではなく、アレンジボール機等であってもよい。
【符号の説明】
【００６６】
１４ 遊技盤保持部，３０ 遊技領域，
６０ 第１コーナー部材(遊技盤構成部品)，７０ 第２コーナー部材(遊技盤構成部品)，
８７ リベット挿通孔(挿通孔)，８８ リベット(固定部材、種別表示部)，
９１Ａ 第１貫通孔(貫通孔)，９１Ｂ 第２貫通孔(貫通孔)，
９１Ｃ 第３貫通孔(貫通孔)，９６Ａ 第１貫通孔(貫通孔)，
９６Ｂ 第２貫通孔(貫通孔)，９６Ｃ 第３貫通孔(貫通孔)，
Ｂ 中枠(枠部材)，Ｄ 遊技盤，Ｍ１ 第１遊技盤識別部(識別部)，
Ｍ２ 第２遊技盤識別部(識別部)，Ｓ１ 第１中枠識別部(被識別部)，
Ｓ２ 第２中枠識別部(被識別部)
【図１】
0005848629.tif 000003
【図２】
0005848629.tif 000004
【図３】
0005848629.tif 000005
【図４】
0005848629.tif 000006
【図５】
0005848629.tif 000007
【図６】
0005848629.tif 000008
【図７】
0005848629.tif 000009
【図８】
0005848629.tif 000010
【図９】
0005848629.tif 000011
【図１０】
0005848629.tif 000012
【図１１】
0005848629.tif 000013
【図１２】
0005848629.tif 000014
【図１３】
0005848629.tif 000015
【図１４】
0005848629.tif 000016
【図１５】
0005848629.tif 000017
【図１６】
0005848629.tif 000018